(57)【特許請求の範囲】
【請求項１】
直円筒状の巻芯に記録紙が巻回されるロール状記録紙を、その軸線まわりに回転自在に保持するロール状記録紙の保持構造であって、このロール状記録紙が装填される装填部の長手方向両側に設けられた一対のスプール受け台にそれぞれ支持される一対のスプールを有し、各スプールは、巻芯に挿脱自在に嵌まり込む嵌合部と、スプール受け台に支持される載置部とを有するロール状記録紙の保持構造において、
各スプールの嵌合部は、その軸線に垂直な断面形状が巻芯の内周面の内径よりも小さく、この嵌合部には、前記軸線から上方に延びる一半径線上で半径方向外方に凸に湾曲した支持部が形成され、
前記支持部が巻芯の内径の約半分の曲率半径を有し、この支持部とは前記軸線に関して反対側の第１領域が巻芯の内径よりも僅かに小さい曲率半径を有し、支持部と第１領域とは、支持部および第１領域が内接する仮想円よりも半径方向内方に退避した第２領域によって連なる断面形状とされることを特徴とするロール状記録紙の保持構造。
【請求項２】
各スプールの嵌合部は、巻芯の内径よりも小さい外径の外周面を有する嵌合部材から成り、各スプールの載置部は、各嵌合部を同軸に挿通する軸部材から成ることを特徴とする請求項１記載のロール状記録紙の保持構造。
【発明の詳細な説明】
【０００１】
【発明の属する技術分野】
本発明は、ロール状記録紙を用いる印字機構を備えたファクシミリ、プリンタおよび複写機などの各種の情報機器に好適に実施することができるロール状記録紙の保持構造に関する。
【０００２】
【従来の技術】
図１１は典型的な従来の技術のロール状記録紙の保持構造を示すファクシミリ１の簡略化した断面図であり、図１２は図１１に装填されたロール状記録紙４付近を上方から見た平面図である。紙管とも呼ばれる巻芯２には、記録紙３がロール状に巻回されて、ロール状記録紙（以下、ロール紙と略記する場合がある）４が形成される。このロール紙４は、ファクシミリ１の装填部であるロール紙受け台５上に配置され、ロール紙受け台５の図１１の紙面に垂直な長手方向両端部に立設される一対の端壁６ａ，６ｂにそれぞれ設けられる２つのスプール７ａ，７ｂによって支持される。一方のスプール７ａは、一方の端壁６ａの内面から前記巻芯２に嵌まり込む嵌合部８ａだけが突出して設けられ、他方のスプール７ｂは、前記一方のスプール７ａと同一軸線上に他方の端壁６ｂに嵌着された載置部９から嵌合部８ｂが突出して設けられる。
【０００３】
他方のスプール７ｂの載置部９には図示しない圧縮ばねが内蔵され、この圧縮ばねのばね力によって前記嵌合部８ｂが一方のスプール７ａに向けてばね付勢される。したがってロール紙４は、各端壁６ａ，６ｂ間で巻芯２の軸線方向一端部に一方のスプール７ａの嵌合部８ａが嵌まり込んで支持され、巻芯２の軸線方向他端部が前記他方のスプール７ｂの嵌合部８ｂによって弾発的に押圧された状態で支持される。
【０００４】
このようにして軸線まわりに回転可能に保持されるロール状記録紙４から引き出された記録紙３は、プラテンローラ１１とサーマルヘッド１２との間に搬送され、サーマルヘッド１２によってプラテンローラ１１上の記録紙に印字され、ファクシミリ本体１３とカバー体１４との間の排紙口１５から排出される。
【０００５】
他の従来の技術は、実開平５−３９０６３号公報に開示されている。この従来の技術では、本発明のロール紙受け台５に相当する本体ケーシングの底面に一対のロール紙ブラケットが立設され、これらの各ロール紙ブラケットには、記録紙の引き出し方向とは逆方向に開放した上下２つの軸架孔を形成し、下側の軸架孔には小容量のサイズのロール紙の芯孔に挿通させたロール軸を回動自在に支持し、上側の軸架孔には大容量のロール紙の芯孔に挿通させたロール軸を回動自在に支持している。
【０００６】
さらに他の従来の技術は、実開平５−８２９５６合公報に開示されている。この従来の技術では、本発明のロール紙受け台に相当する収装部にロール紙が収容され、収装部の両側板の一方に弾性片を突設して、ロール紙が常に他方の側板へ押圧されるようにして、芯棒を用いない簡単な構成でロール紙の斜行を防止することが開示されている。
【０００７】
【発明が解決しようとする課題】
上記の図１１および図１２に示される従来の技術では、ロール紙を一方のスプールに他方のスプールによって押圧した状態でそのロール紙が保持されているため、ロール紙には常に軸線方向の圧縮力および回転方向の摺動抵抗力などの負荷が作用している。このような状態で記録紙がプラテンローラによって引き出されるとき、ロール紙はその直径が大きい使用開始時では回転方向の慣性力が大きく、またロール紙の直径が小さい交換直前の消費時では回転方向の慣性力が小さくなるため、記録紙の張力が大から小へ大きく変化し、記録紙に大きな引張り負荷変動が生じる。そのため、プラテンローラ１１とサーマルヘッド１２とが設けられる印字位置において記録紙の送り量にむらが生じ、印字画の縮みおよび濃淡の印字むらが生じてしまうという問題がある。
【０００８】
また実開平５−３９０６３号公報に示される従来の技術では、各ロール紙ブラケットの各軸架孔は繰出しローラに対して後方に開放し、ロール軸が前記軸架孔内でその開放方向への変位が拘束されていないため、１ライン毎の繰出しローラによる記録紙の送り出し動作によって、記録紙には張力の作用状態とその解除状態とが繰り返され、そのためにロール軸が軸架孔内で微小でかつ急激な変位または振動を生じ易く、この変位または振動によって印字画像に縮みおよびむらが発生してしまうという問題がある。
【０００９】
さらに実開平５−８２９５６号公報に示される従来の技術では、収装部の一部を構成する後部板と底板とに常に線接触し、しかも一方の側板に設けられる弾性片によって他方の側板に押し付けられているため、ロール紙に作用する摺動摩擦力が大きく、記録紙の送り出し時におけるプラテンローラの回転トルク、したがって回転駆動するためのモータの負荷が大きくなってしまうという問題がある。
【００１０】
本発明の目的は、記録紙を搬送するためのモータの回転トルクを増大することなく簡単な構成で、印字画の縮みおよびむらなどの画質の低下を防止することができるようにしたロール状記録紙の保持構造を提供することである。
【００１１】
【課題を解決するための手段】
請求項１記載の本発明は、直円筒状の巻芯に記録紙が券回されるロール状記録紙を、その軸線まわりに回転自在に保持するロール状記録紙の保持構造であって、このロール状記録紙が装填される装填部の長手方向両側に設けられた一対のスプール受け台にそれぞれ支持される一対のスプールを有し、各スプールは、巻芯に挿脱自在に嵌まり込む嵌合部と、スプール受け台に支持される載置部とを有するロール状記録紙の保持構造において、
各スプールの嵌合部は、その軸線に垂直な断面形状が巻芯の内周面の内径よりも小さく、この嵌合部には、前記軸線から上方に延びる一半径線上で半径方向外方に凸に湾曲した支持部が形成され、
前記支持部が巻芯の内径の約半分の曲率半径を有し、この支持部とは前記軸線に関して反対側の第１領域が巻芯の内径よりも僅かに小さい曲率半径を有し、支持部と第１領域とは、支持部および第１領域が内接する仮想円よりも半径方向内方に退避した第２領域によって連なる断面形状とされることを特徴とするロール状記録紙の保持構造である。
【００１２】
本発明に従えば、スプールの嵌合部は、その断面形状が巻芯の内径よりも小さく、上方に延びる一半径線上で半径方向外方に凸に湾曲した支持部が形成される。この嵌合部は、巻芯の軸線方向両端部に嵌まり込み、支持部が巻芯の内周面に下方から線接触してロール状記録紙が支持される。各スプールの載置部は、装填部の長手方向両端部に設けられる各記録紙受け台に支持され、こうしてロール状記録紙が保持される。
【００１３】
このような各スプールによってロール状記録紙がその軸線方向両端部で支持された状態においては、嵌合部はその断面形状が巻芯の内径よりも小さく、かつ支持部が形成されるので、ロール状記録紙が繰り出される際にその記録紙に急激に引張力が増加しても、ロール状記録紙は摺動載置部の頂部が巻芯の内周面に線接触し、その線接触位置を支点として、前記引張り力が作用する方向と同一方向にいわば振り子のように揺動することができる。この揺動によって引出された記録紙の張力の変化量を低減することができ、これによって印字画の縮みおよび印字むらの発生を防止することができる。
【００１５】
各スプールの嵌合部は支持部が巻芯の内径の約半分の曲率半径を有し、この支持部とは前記軸線に関して反対側の第１領域が巻芯の内径よりも僅かに小さい曲率半径を有し、支持部と第１領域とは、支持部および第１領域が内接する仮想円よりも半径方向内方に退避した第２領域によって連なる断面形状とされるので、上記のように記録紙が繰り出される際、特に高速のラインプリンタなどのように印字速度が大きく、その記録紙に作用する引張力が大きく急激に変化しても、ロール状記録紙が大きく揺動することが可能であり、このような大きな揺動によって記録紙に生じる張力の変化量を低減し、印字画の縮みおよびむらの発生を防ぐことができる。
【００１６】
また本発明は、各スプールの嵌合部は、巻芯の内径よりも小さい外径の外周面を有する嵌合部材から成り、各スプールの載置部は、各嵌合部を同軸に挿通する軸部材から成ることを特徴とする。
【００１７】
本発明に従えば、各スプールの嵌合部が巻芯の内径よりも小さい外径を有する嵌合部材から成り、各スプールの載置部が各嵌合部を同軸に挿通する軸部材から成るので、上記のように記録紙が繰り出される際にその記録紙に作用する張力が急激に変化しても、ロール状記録紙が揺動することによって記録紙の張力の変化量を低減し、印字画の縮みおよびむらの発生を防ぐことができる。
【００１８】
【発明の実施の形態】
図１は本発明の実施の一形態のロール状記録紙の保持構造を備えるファクシミリ２１の一部の断面図であり、図２はファクシミリ２１を右側方から見た簡略化した断面図であり、図３は図２に示されるファクシミリ２１の上カバー体２５を開いた状態を示す断面図である。ファクシミリ２１は、本体２４と、本体２４に開閉自在に設けられる上カバー体２５とを有する。本体２４には、その後部２６寄りにロール状記録紙（以下、ロール紙と略記する場合がある）２２が装填される装填部２３を含む上壁２７が形成される。前記装填部２３は、ロール紙２２の最大半径よりも僅かに大きい内径を有する直円筒状の一部を成し、図１〜図３の紙面に垂直な方向にほぼロール紙の軸線方向の長さにわたって延び、ロール紙２２の下半部における下部領域２２ａを覆う底カバー部分２９、およびこの底カバー部分２９よりも本体２４の前部２８寄り、すなわち図２および図３の左寄りの前側部領域２２ｂを覆う前側部カバー部分３０を有する。
【００１９】
前記装填部２３を含む上壁２７は、前側部カバー部分３０の上端部から前部２８側に屈曲して連なる水平部分３３と、この水平部分３３の最も前部２８寄りの端部に連なり図２および図３の紙面に垂直な長手方向に延びる逆Ｖ字状の突条部分３４と、突条部分３４の最も前部２８寄りの端部から前部２８側に下方に凸に湾曲する第１案内部分３５と、第１案内部分３５の最も前部２８寄りの端部からさらに前部２８寄り、すなわち図２および図３の左方に間隔をあけて配置され前記第１案内部分３５から離反するにつれて下方に凸に湾曲する第２案内部分３６とを有する。前記装填部２３の図１〜図３の紙面に垂直な長手方向両端部には、一対のスプール受け台３８ａ，３８ｂが立設される。また上壁２７の図２および図３の紙面に垂直な両側部には側壁３１ａ，３１ｂによって覆われ、後部２６は後部カバー体３２によって覆われる。
【００２０】
ロール紙２２は、直円筒状の巻芯４１と、この巻芯４１に券回される記録紙４２とを含む。巻芯４１は、その内周面４６および外周面４７のいずれも直円筒状であり、このような巻芯４１に券回される記録紙４２の券回状態における形状もまた、直円筒状である。前記巻芯４１は、紙管とも呼ばれる。
【００２１】
図４は、ロール紙２２の長手方向両端部にスプール４３ａ，４３ｂが装着された状態を示す一部を切欠いた平面図である。前記ロール紙２２の長手方向両端部には、スプール４３ａ，４３ｂがそれぞれ装着される。各スプール４３ａ，４３ｂは、前記巻芯４１の長手方向両端部に装脱自在に嵌まり込む嵌合部４４ａ，４４ｂと、各嵌合部４４ａ，４４ｂに連なり、各スプール受け台３８ａ，３８ｂ（３８ｂは図示せず）にそれぞれ支持される載置部４５ａ，４５ｂとを有する。
【００２２】
図５は、ロール紙２２の長手方向一端部に装着される一方のスプール４３ａの斜視図である。前記一方のスプール４３ａの嵌合部４４ａは、その軸線４８に垂直な断面形状が巻芯４１の内周面４６の内径Ｄ１よりも小さく、かつ前記軸線４８から上方に延びる一半径線上で半径方向外方に凸に湾曲した支持部４９が形成される。この支持部４９は、巻芯４１の内径Ｄ１の約半分の曲率半径を有する。嵌合部４４ａにはまた、支持部４９とは前記軸線４８に関して反対側の第１領域５１が巻芯４１の内径Ｄ１よりも僅かに小さい曲率半径を有し、支持部４９と第１領域５１とは、支持部４９および第１領域５１が内接する仮想円５２よりも半径方向内方に退避した一対の第２領域５３ａ，５３ｂによって連なる大略的に扇状の断面形状を有する。
【００２３】
前記スプール４３ａの載置部４５ａは、下方に凸に湾曲した半円筒状の嵌合面５７を有するＵ字状部分５８と、このＵ字状部分５８の嵌合面５７の周方向両端部から直角に屈曲して相互に離反する方向に延びる下面５９，６０をそれぞれ有する当接部分６１，６２と、Ｕ字状部分５８の周方向両端部付近から直角に屈曲して相互に離反する方向に延び、さらに上方に直角に屈曲して当接部のＵ字状部分５８とは反対側の端部に連なる補強部１００，１０１と、各当接部分６１，６２の上面から上方に突出して延びる一対の立上がり部分６３，６４と、前記Ｕ字状部分５８の周方向の中央部から各立上がり部分６３，６４と平行に立ち上がる補強部分６５と、この補強部分６５の上端部および各立上がり部分６３，６４の上端部に直角に連なって各当接面５９，６０と平行に延び、長手方向両端部が各立上がり部分６３，６４から外側方に突出する上板部分６６と、各当接部分６１，６２の下面５９，６０よりも下方でＵ字状部分５８および補強部分６５の下部の一表面を塞ぎ、前記嵌合部４４ａが一体的に形成される板状部分６７とを含む。各補強部１００，１０１は、残余の部分よりも板状部分６７からの突出量が小さく形成されている。
【００２４】
前記スプール４３ａは、熱可塑性合成樹脂からなり、たとえば射出成型によって形成される。熱可塑性合成樹脂としは、たとえばＡＢＳ樹脂を用いることができる。また他方のスプール４３ｂは、前記一方のスプール４３ｂと同様に構成される。前述の上カバー体２５、上壁２７、各側壁３１ａ，３１ｂ、後部カバー体３２および各スプール受け台３８ａ，３８ｂもまた、各スプール４３ａ，４３ｂと同様な材料から成ってもよい。
【００２５】
一方のスプール受け台３８ａの上部には、スプール４３ａの載置部４５ａのＵ字状部分５８が着脱自在に嵌まり込む嵌合凹所６８が形成される。この嵌合凹所６８の両側には各当接部分６１，６２の各当接面５９，６０が当接して支持される一対の第１支持面６９，７０が形成されるとともに、各第１支持面６９，７０間に前記嵌合凹所６８に臨む略半円筒状の第２支持面７１が形成される。
【００２６】
ロール紙２２をファクシミリ２１の装填部２３に装填するにあたっては、ロール紙２２の巻芯４１の軸線方向両端部に各スプール４３ａ，４３ｂの嵌合部４４ａ，４４ｂを挿入して嵌合させ、各載置部４５ａ，４５ｂを、各スプール受け台３８ａ，３８ｂに装着する。この状態では、各スプール受け台３８ａ，３８ｂの嵌合凹所６８に各載置部４５ａ，４５ｂのＵ字状部分５８が嵌合してその嵌合面５７が第２支持面７１によって支持されるとともに、各当接部分６１，６２の各当接面５９，６０が各第１支持面６９，７０によって支持される。前記Ｕ字状部分５８が嵌合凹所６８に嵌合することによって、ロール紙２２を、そのロール紙２２から引き出された記録紙４２の送り出し方向Ａに対して垂直（図１〜図３の紙面に垂直方向）に正確に位置決めして装着することができる。
【００２７】
このようにして各スプール４３ａ，４３ｂの載置部４５ａ，４５ｂが本体２４の各スプール受け台３８ａ，３８ｂによって支持された状態では、ロール紙２２は、各スプール４３ａ，４３ｂによって、ロール紙２２の軸線まわりに回転自在に支持される。詳しく述べると、ロール紙２２の巻芯４１の内周面４６は、支持部４９によって支持され、この支持部４９に関して周方向両側は内周面４６から離間している。また第１領域５１は、内周面４６から半径方向内方に僅かな間隔Δｄ１をあけて離間している。この間隔Δｄ１は、たとえば約０．５〜１．５ｍｍに選ばれる。このような支持部４９および第１領域５１に周方向に連なる各第２領域５３ａ，５３ｂは、前記支持部４９に関してロール紙２２の揺動方向Ｂ１，Ｂ２に内周面４６から前記間隔Δｄ１よりも大きな間隔Δｄ２を有し、この間隔Δｄ２はたとえば約３．０〜５．０ｍｍに選ばれる。
【００２８】
ロール紙２２から引き出された記録紙４２は、第１案内部分３５と第１案内部分３５の上方に設けられるガイド１０３との間を経て、プラテンローラ７５によってサーマルヘッド７６による１ライン毎の印字動作に同期して間欠的に搬送され、この第１案内部分３５の送り出し方向Ａ下流側の端部と第２案内部分３６の送り出し方向Ａ上流側の端部との間を通過し、排紙口７４から排出される。この間、プラテンローラ７５によって間欠的に搬送される記録紙４２には、プラテンローラ７５とロール紙２２との間の張架部分にロール紙２２の自重によって引張力が作用するが、巻芯４１の内周面４６と第１領域５１との間の間隔Δｄ１を有する隙間、および前記内周面４６と各第２領域５３ａ，５３ｂとの間の間隔Δｄ２を有する隙間によって、ロール紙２２は載置部４５ａ，４５ｂの支持部４９を支点としていわば振り子のように揺動することができ、この揺動によって同一方向への張力の増加を吸収することができる。このようにして張力を減少させることがでるので、記録紙４２に生じる張力変化を緩和、すなわち引張り負荷の大きさおよび変化量を低減することができる。これによって印字画の縮みおよび印字むらの発生を防止することができる。
【００２９】
ここに、本実施の形態において、印字画の縮みとは、印字画を構成する複数のドット（画素ともいう）間の記録紙の搬送方向（副走査方向ともいう）の間隔が小さくなり、あるいは各ドットが前記搬送方向に重なってしまい、結果的に１つの文字自体および各文字間の間隔が搬送方向に短くなってしまうことをいう。また印字画のむらとは、その印字画を構成する複数のドット間の前記搬送方向の間隔が均一な部分と不均一な部分とが生じてしまい、結果的に印字画全体として搬送方向に垂直な主走査方向にずれを伴う印字画像をいう。
【００３０】
図６は本発明の実施の他の形態のロール状記録紙の保持構造を示すファクシミリ２１ａを示す一部の断面図であり、図７はファクシミリ２１ａを右側方から見た簡略化した断面図であり、図８は図７に示されるファクシミリ２１ａの上カバー体２５を開いた状態を示す断面図である。なお、前述の実施の形態と対応する部分には、同一の参照符を付し、相違する部分について説明する。本実施の形態のファクシミリ２１ａは、少なくとも内周面４６が直円筒状の巻芯４１に記録紙４２が券回されるロール状記録紙２２を、その軸線まわりに回転自在に保持し、このロール状記録紙２２が装填される装填部２３の長手方向両側に設けられた一対のスプール受け台３８ａ１，３８ｂ１にそれぞれ支持される一対のスプール４３ａ１，４３ｂ１を有し、各スプール４３ａ１，４３ｂ１は、巻芯４１に挿脱自在に嵌まり込む嵌合部４４ａ１，４４ｂ１と、スプール受け台３８ａ１，３８ｂ１に支持される載置部４５ａ１，４５ｂ１とをそれぞれ有する。
【００３１】
図９はロール紙２２に各嵌合部材７８ａ，７８ｂおよび軸部材７９が挿通された状態を示す平面図であり、図１０は、各嵌合部材７８ａ，７８ｂおよび軸部材７９が挿通されたロール紙２２をファクシミリ２１ａの装填部２３に装着された状態を示す平面図である。
【００３２】
各スプール４３ａ１，４３ｂ１の嵌合部４４ａ１，４４ｂ１は、巻芯４１の内径Ｄ１よりも小さい外径Ｄ２を有する直円筒状の嵌合部材７８ａ，７８ｂから成る。各嵌合部材７８ａ，７８ｂの外径Ｄ１は、巻芯４１の内径Ｄ２の約１／５〜約４／５に選ばれる。各スプール４３ａ１，４３ｂ１の載置部４５ａ１，４５ｂ１は、各嵌合部材７８ａ，７８ｂを同軸に挿通する軸部材７９から成る。各嵌合部材７８ａ，７８ｂと軸部材７９とは、相互に回転自在であってもよく、または相互に固定されてもよい。各嵌合部材７８ａ，７８ｂは、硬質ゴムまたは合成樹脂から成ってもよい。また軸部材７９は、金属から成る。
【００３３】
前記スプール受け台３８ａ１，３８ｂ１には、軸部材７９の軸線方向両端部を支持する軸受溝８０ａ，８０ｂがそれぞれ形成される。各軸受溝８０ａ，８０ｂは、上方に開放して形成される。各軸受溝８０ａ，８０ｂの両側には、上方にむけてＶ字状に拡開する各一対の案内面８１ａ，８１ｂ；８２ａ，８２ｂがそれぞれ形成される。
【００３４】
このような各スプール４３ａ１，４３ｂ１によってロール紙２２が装填部２３に装填された状態では、そのロール紙２２から引き出された記録紙４２は、第１案内部分３５に沿って案内されて、プラテンローラ７５によって搬送され、サーマルヘッド７６によって印字される。その後、排紙口７４を介して装置外へ排出される。この間、プラテンローラ７５によって搬送される記録紙４２は、プラテンローラ７５とロール紙２２との間で、そのロール紙２２の自重によって引っ張り負荷を発生し、巻芯４１の内周面４６と各嵌合部材７８ａ，７８ｂの外周面との摩擦力の変動して、その変動に伴って記録紙４２の引張力が変動するが、回転可能な各嵌合部材７８ａ，７８ｂおよび軸部材７９によってロール紙２２の回転が自由であり、これによって記録紙２２の引張り負荷変動を緩和させ、搬送時の送り量のむらに起因する印字画像の縮みおよびむらの発生を防止することができる。
【００３５】
【発明の効果】
本発明によれば、各スプールの嵌合部は第１領域が巻芯の内径よりも僅かに小さい曲率半径を有し、支持部と第１領域とは、支持部および第１領域が内接する仮想円よりも半径方向内方に退避した第２領域によって連なる断面形状とされるので、上記のように記録紙が繰り出される際、特に高速のラインプリンタなどのように印字速度が大きく、その記録紙に作用する引張力が大きく急激に変化しても、ロール状記録紙が大きく揺動することが可能であり、このような大きな揺動によって記録紙に生じる張力の変化量を低減し、印字画の縮みおよびむらの発生を防ぐことができる。
【００３８】
また本発明によれば、各スプールの嵌合部が巻芯の内径よりも小さい外径を有する嵌合部材から成り、各スプールの載置部が各嵌合部を同軸に挿通する軸部材から成るので、上記のように記録紙が繰り出される際にその記録紙に作用する張力が急激に変化しても、ロール状記録紙が揺動することによって記録紙の張力の変化量を低減し、印字画の縮みおよびむらの発生を防ぐことができる。
【図面の簡単な説明】
【図１】本発明の実施の一形態のロール状記録紙の保持構造を示すファクシミリ２１の一部の断面図である。
【図２】ファクシミリ２１を右側方から見た簡略化した断面図である。
【図３】図２に示されるファクシミリ２１の上カバー体２５を開いた状態を示す断面図である。
【図４】ロール紙２２の長手方向両端部にスプール４３ａ，４３ｂが装着された状態を示す一部を切欠いた平面図である。
【図５】ロール紙２２の長手方向一端部に装着される一方のスプール４３ａの斜視図である。
【図６】本発明の実施の他の形態のロール状記録紙の保持構造を示すファクシミリ２１ａの一部の断面図である。
【図７】ファクシミリ２１ａを右側方から見た簡略化した断面図である。
【図８】ファクシミリ２１ａの上カバー体２５を開いた状態を示す断面図である。
【図９】ロール紙２２に各嵌合部材７８ａ，７８ｂおよび軸部材７９が挿通された状態を示す平面図である。
【図１０】各嵌合部材７８ａ，７８ｂおよび軸部材７９が挿通されたロール紙２２をファクシミリ２１ａの装填部２３に装着された状態を示す平面図である。
【図１１】典型的な従来の技術のロール状記録紙の保持構造を示すファクシミリ１の内部構造を簡略化した断面図である。
【図１２】図１１に示されるファクシミリ１を上方から見たロール状記録紙４付近の平面図である。
【符号の説明】
２１，２１ａ  ファクシミリ
２２  ロール状記録紙
２３  装填部
２４  本体
２５  上カバー体
３８ａ，３８ｂ  スプール受け台
４１  巻芯
４２  記録紙
４３ａ，４３ｂ；４３ａ１，４３ｂ１  スプール
４４ａ，４４ｂ；４４ａ１，４４ｂ１  嵌合部
４５ａ，４５ｂ；４５ａ１，４５ｂ１  載置部
４９  支持部
４６  内周面
４９  支持部
５２  仮想円
５８  Ｕ字状部分
６１，６２  当接部分
６９，７０  第１支持面
７１  第２支持面
７４  排紙口
７５  プラテンローラ
７６  サーマルヘッド
７８ａ，７８ｂ  嵌合部材
７９  軸部材
【図１】
0003610243.tif 000002
【図２】
0003610243.tif 000003
【図３】
0003610243.tif 000004
【図４】
0003610243.tif 000005
【図５】
0003610243.tif 000006
【図６】
0003610243.tif 000007
【図７】
0003610243.tif 000008
【図８】
0003610243.tif 000009
【図９】
0003610243.tif 000010
【図１０】
0003610243.tif 000011
【図１１】
0003610243.tif 000012
【図１２】
0003610243.tif 000013